(57)【要約】【課題】  多くの自治体にて指定ゴミ袋として用いられている取手付の１０ｌ用ゴミ袋が、ゴミ箱の開口部にゴミ袋の口部を係止する特段の構成を設けずとも略間隙なく安定的に装着される構成と寸法のゴミ箱を開発する。【解決手段】  同形同寸の上部本体と下部本体が連結枠体を介して嵌脱自在に嵌合され、上部本体に１０ｌ用ゴミ袋が略間隙なく装着でき、上部本体の２箇所の取手に１０ｌ用ゴミ袋の取手が係止されることにより１０ｌ用ゴミ袋を安定的に装着できる１０ｌ用ゴミ袋用ゴミ箱を提供する。【選択図】        図１
0003105524.tif 000002
【実用新案登録請求の範囲】
【請求項１】
上部本体の下部が連結枠体の上部に嵌脱自在に嵌合され、下部本体の上部が上記連結枠体の下部に嵌脱自在に嵌合され、上記下部本体の下部にキャスターを有しており、上記上部本体と上記下部本体は同形同寸で、上記上部本体及び上記下部本体はそれぞれが全体が下方に向かって小となるわずかなテーパーが付された略直方体状の箱状で、上面がフランジを有する開口部となり、正面板、背面板、左側面板、右側面板、底面板が一体として構成されていて、上記左側面板に１箇所の取手を有し、上記右側面板に１箇所の取手を有しており、上記上部本体及び上記下部本体の寸法が、上記フランジの直下の上記正面板の横幅と上記背面版の横幅は同一で２５５ｍｍ〜３１５ｍｍの範囲内であり、上記正面板の下端部分の横幅と上記背面版の下端部分の横幅は同一で２４５ｍｍ〜３０５ｍｍの範囲内であり、上記フランジの正面側と背面側の外寸は同一で２６０ｍｍ〜３２０ｍｍの範囲内であり、上記左側面板の上記フランジの直下の横幅と上記右側面板の上記フランジの直下の横幅は同一で１５５ｍｍ〜１９５ｍｍの範囲内であり、上記フランジの左側面側と右側面側の外寸は同一で１６０ｍｍ〜２００ｍｍの範囲内であり、上記左側面板の下端部分の横幅と上記右側面板の下端部分の横幅は同一で１４５ｍｍ〜１８５ｍｍの範囲内であり、上記正面板における上記フランジ直下から下端までの高さ及び上記背面板における上記フランジ直下から下端までの高さ及び上記左側面板における上記フランジ直下から下端までの高さ及び上記右側面板における上記フランジ直下から下端までの高さは全て同一で２５５ｍｍ〜３１５ｍｍの範囲内であり、上記フランジの上面から上記正面板の下端までの高さ及び上記フランジの上面から上記背面板の下端までの高さ及び上記フランジの上面から上記左側面板の下端までの高さ及び上記フランジの上面から上記右側面板の下端までの高さは全て同一で２６０ｍｍ〜３２０ｍｍの範囲内であり、上記左側面板の取手の下端位置と上記右側面板の取手の下端位置は同一で上記フランジの上面から７０ｍｍ〜１１０ｍｍの範囲内であることを特徴とする１０ｌ用ゴミ袋用ゴミ箱。
【考案の詳細な説明】
【技術分野】
【０００１】
本考案は、自治体の指定ゴミ袋として良く用いられている１０ｌ用の合成樹脂の薄膜製のゴミ袋が上部本体内に略隙間なく収納できる１０ｌゴミ袋用ゴミ箱に関するものであり、さらに詳しくは、上部本体の下部が連結枠体の上部に嵌脱自在に嵌合され、下部本体の上部が上記連結枠体の下部に嵌脱自在に嵌合され、上記下部本体の下部にキャスターを有しており、上記上部本体と上記下部本体は同形同寸で、上記上部本体及び上記下部本体はそれぞれが全体が下方に向かって小となるわずかなテーパーが付された略直方体状の箱状で、上面がフランジを有する開口部となり、正面板、背面板、左側面板、右側面板、底面板が一体として構成されていて、上記左側面板に１箇所の取手を有し、上記右側面板に１箇所の取手を有しており、上記上部本体及び上記下部本体の寸法が、上記フランジの直下の上記正面板の横幅と上記背面版の横幅は同一で２５５ｍｍ〜３１５ｍｍの範囲内であり、上記正面板の下端部分の横幅と上記背面版の下端部分の横幅は同一で２４５ｍｍ〜３０５ｍｍの範囲内であり、上記フランジの正面側と背面側の外寸は同一で２６０ｍｍ〜３２０ｍｍの範囲内であり、上記左側面板の上記フランジの直下の横幅と上記右側面板の上記フランジの直下の横幅は同一で１５５ｍｍ〜１９５ｍｍの範囲内であり、上記フランジの左側面側と右側面側の外寸は同一で１６０ｍｍ〜２００ｍｍの範囲内であり、上記左側面板の下端部分の横幅と上記右側面板の下端部分の横幅は同一で１４５ｍｍ〜１８５ｍｍの範囲内であり、上記正面板における上記フランジ直下から下端までの高さ及び上記背面板における上記フランジ直下から下端までの高さ及び上記左側面板における上記フランジ直下から下端までの高さ及び上記右側面板における上記フランジ直下から下端までの高さは全て同一で２５５ｍｍ〜３１５ｍｍの範囲内であり、上記フランジの上面から上記正面板の下端までの高さ及び上記フランジの上面から上記背面板の下端までの高さ及び上記フランジの上面から上記左側面板の下端までの高さ及び上記フランジの上面から上記右側面板の下端までの高さは全て同一で２６０ｍｍ〜３２０ｍｍの範囲内であり、上記左側面板の取手の下端位置と上記右側面板の取手の下端位置は同一で上記フランジの上面から７０ｍｍ〜１１０ｍｍの範囲内であることを特徴とする１０ｌ用ゴミ袋用ゴミ箱に関するものである。
【背景技術】
【０００２】
近年、環境問題が問い直される風潮の中で、各自治体においても、ゴミの分別収集が盛んになるとともに、燃えるゴミ、燃えないゴミ、資源ゴミ等各種のゴミの種別に対応したゴミ袋を製造し、これを「指定ゴミ袋」として自治体の住民や事業所に頒布し、該指定ゴミ袋に収納したゴミのみを回収するという方法を採るところが増加してきた。これに伴い、各家庭や事業所においても、これに対応して複数のゴミ箱を購入し、各家庭や事業所の段階にてゴミを分別し、所定の日時に回収に出すという意識が徹底してきた感がある。
【０００３】
このように、各家庭や事業所の段階にてゴミを分別する際には、ゴミ箱に予め自治体の指定ゴミ袋を装着し、指定ゴミ袋が満杯になった段階でゴミ箱から取り外して口部を結束し、指定の回収場所に載置するという方法が一般的になりつつある。自治体指定のゴミ袋には様々な種類があるが、一般的に広く用いられているのは１０ｌ用、２０ｌ用、４５ｌ用の合成樹脂の薄膜製のゴミ袋であり、中でも、一般家庭においては１０ｌ用のゴミ袋が最も多用されている。その理由は、各家庭が回収日から次の回収日までに溜めるゴミの量が、最も溜まりやすい燃えるゴミの場合で１０ｌ用のゴミ袋に略収納できる程度であり、また、市販のゴミ箱の多くが、２０ｌ用のゴミ袋、あるいは４５ｌ用のゴミ袋では小さすぎるという理由による。
【０００４】
しかしながら、市販のゴミ箱の多くは、特段１０ｌ用のゴミ袋のサイズを意識して造られたものではなく、むしろデザイン的観点に主体を置いて造られたものが多いので、市販のゴミ箱（図示せず）に図６に示すような１０ｌ用ゴミ袋５を装着した場合、ゴミ箱が小さすぎるか大きすぎるかどちらかの場合が圧倒的に多い。そして、ゴミ箱が小さすぎる場合は１０ｌ用ゴミ袋５は一部が折畳まれた状態でゴミ箱に装着されるので、１０ｌ分のゴミを収納し切らないうちにゴミ箱が満杯となり、効率が悪い。また、ゴミ箱が大きすぎる場合には、１０ｌ用ゴミ袋５が装着できず、２０ｌ用ゴミ袋（図示せず）を装着して用いることとなるが、該２０ｌ用ゴミ袋に対してはゴミ箱が小さすぎる場合が殆どで、結局やはり２０ｌ分のゴミを収納する前に満杯となってしまい、効率が悪い結果は免れない。なお、図６に示す１０ｌ用ゴミ袋５は中部地方のある自治体の指定の１０ｌ用ゴミ袋の形態を示しており、５１は合成樹脂製の薄膜の袋体、５２ａ、５２ｂはマチ、５３ａ、５３ｂは取手、５４ａ、５４ｂは結束片である。図６は折畳まれた状態を示すが、この状態にて、１０ｌ用ゴミ袋５の幅ｘは２９５ｍｍ、高さｙは５２０ｍｍ、マチ５２ａ、５２ｂの幅ｘ１は７５ｍｍ、取手５３ａ、５３ｂの高さｙ１は１４５ｍｍである。このような形態のゴミ袋は既に多くの自治体にて用いられており、寸法的には各自治体によって多少の差異はあるかもしれないが、形態的には殆ど大差なく、この形態が１０ｌ用ゴミ袋の標準形態となっている感がある。また、スーパー等の小売店にてもこの形態の１０ｌ用の合成樹脂の薄膜製の袋は多用されており、家庭によってはこの形態のスーパーの袋にとりあえずゴミを溜めておき、後でまとめて２０ｌ用の自治体指定ゴミ袋あるいは４５ｌ用の自治体指定ゴミ袋に収納して回収に出すという方法を用いているところもある。
【０００５】
また、市販のゴミ箱の多くは、図６に示す１０ｌ用ゴミ袋５のような形態のゴミ袋を装着して使用することを特に想定して造られているわけではないので、このような市販のゴミ箱に図６に示す１０ｌ用ゴミ袋５のような形態のゴミ袋を装着する場合、ゴミ袋の口部を折り返してゴミ箱に装着するのが一般的であるが、ゴミ袋を係止する構成を持っていないのでゴミ袋が外れ易く、また折り返し分だけ容量が減ることとなる。このため、下記特許文献１に示す「ごみ箱」のように、開口部にゴミ袋を係止するための「袋止め部材」を回動自在に設けている例もあるが、このような構成を採った場合、開口部の構成が複雑になって製造原価が高価なものとなり、かつ操作が複雑になってゴミ袋の交換が煩わしいという難点はさけられなかった。また、ゴミ箱は汚れ易いものであるが、下記特許文献１に示す「ごみ箱」のように、開口縁部にゴミ袋を係止するための「袋止め部材」を設けた場合、特に汚れ易い開口部の掃除が複雑となり、「袋止め部材」の細部までは中々掃除が行き届かず、不潔かつ不衛生になり勝ちであった。
【０００６】
また、最近のわが国における住環境の変化には目覚しいものがあり、従来の伝統的な和室が減少して、欧米式の洋室が主体となりつつある。このような洋室においては、従来の和室におけるよりも人の生活位置が高くなり、畳に座布団を敷いて座卓に向かう生活から、椅子と机の生活が主流となりつつある。しかしながら、ゴミ箱のみはどういうわけか和室において畳に座布団を敷いて座卓に向かう生活に適合するように造られていて、このようなゴミ箱を机と椅子が主体の洋室において使用するとどうしても高さが低すぎて使いずらい面が多い。例えば、一般的な市販のゴミ箱の高さは２５ｃｍ〜４５ｃｍ程度のものが多いが、洋室における机の高さは７０ｃｍ内外であり、従って机の上の細かいゴミを手箒等で掃き落とそうとすると、ゴミ箱を持ち上げて開口部を机の面よりやや低い位置にまで持ってくる必要がある。また、キッチンに置いて使う場合でも、システムキッチンの標準的な高さは床から９０ｃｍ内外であるので、２５ｃｍ〜４５ｃｍ程度のゴミ箱では低すぎて使いずらい。しかし、だからといって、ゴミ箱の高さを高くすると、１０ｌ用ゴミ袋を装着した場合、袋の底が中空に浮く結果となり、開口部にゴミ袋の口部が余程しっかり固定されていないとゴミを入れていくに従い、その重量でゴミ袋の口部がゴミ箱の開口部から外れてゴミ袋全体がゴミ箱の底に落ち込んでしまう結果となる。
【特許文献１】特開２００３−３４４０４
【考案の開示】
【考案が解決しようとする課題】
【０００７】
本考案は、上記のような状況に鑑み、以下の課題を解決することを目的とするものである。
【０００８】
＜課題１＞
多くの自治体にて指定ゴミ袋として用いられている取手付の１０ｌ用ゴミ袋が、ゴミ箱の開口部にゴミ袋の口部を係止する特段の構成を設けずとも略間隙なく安定的に装着される構成と寸法のゴミ箱を開発する。
＜課題２＞
洋室における机の高さ、あるいはシステムキッチンの高さに適合する使い易い高さのゴミ箱で、しかも多くの自治体にて指定ゴミ袋として用いられている取手付の１０ｌ用ゴミ袋が略間隙なく安定的に装着される構成と寸法のゴミ箱を開発する。
【課題を解決するための手段】
【０００９】
本考案は上記課題を解決するためになされたものであって、下記の解決手段を提供するものである。
上部本体の下部が連結枠体の上部に嵌脱自在に嵌合され、下部本体の上部が上記連結枠体の下部に嵌脱自在に嵌合され、上記下部本体の下部にキャスターを有しており、上記上部本体と上記下部本体は同形同寸で、上記上部本体及び上記下部本体はそれぞれが全体が下方に向かって小となるわずかなテーパーが付された略直方体状の箱状で、上面がフランジを有する開口部となり、正面板、背面板、左側面板、右側面板、底面板が一体として構成されていて、上記左側面板に１箇所の取手を有し、上記右側面板に１箇所の取手を有しており、上記上部本体及び上記下部本体の寸法が、上記フランジの直下の上記正面板の横幅と上記背面版の横幅は同一で２５５ｍｍ〜３１５ｍｍの範囲内であり、上記正面板の下端部分の横幅と上記背面版の下端部分の横幅は同一で２４５ｍｍ〜３０５ｍｍの範囲内であり、上記フランジの正面側と背面側の外寸は同一で２６０ｍｍ〜３２０ｍｍの範囲内であり、上記左側面板の上記フランジの直下の横幅と上記右側面板の上記フランジの直下の横幅は同一で１５５ｍｍ〜１９５ｍｍの範囲内であり、上記フランジの左側面側と右側面側の外寸は同一で１６０ｍｍ〜２００ｍｍの範囲内であり、上記左側面板の下端部分の横幅と上記右側面板の下端部分の横幅は同一で１４５ｍｍ〜１８５ｍｍの範囲内であり、上記正面板における上記フランジ直下から下端までの高さ及び上記背面板における上記フランジ直下から下端までの高さ及び上記左側面板における上記フランジ直下から下端までの高さ及び上記右側面板における上記フランジ直下から下端までの高さは全て同一で２５５ｍｍ〜３１５ｍｍの範囲内であり、上記フランジの上面から上記正面板の下端までの高さ及び上記フランジの上面から上記背面板の下端までの高さ及び上記フランジの上面から上記左側面板の下端までの高さ及び上記フランジの上面から上記右側面板の下端までの高さは全て同一で２６０ｍｍ〜３２０ｍｍの範囲内であり、上記左側面板の取手の下端位置と上記右側面板の取手の下端位置は同一で上記フランジの上面から７０ｍｍ〜１１０ｍｍの範囲内であることを特徴とする１０ｌ用ゴミ袋用ゴミ箱。
【００１０】
本考案は、上記のように各部分の寸法を数値限定しているが、上記各数値限定における範囲の設定は、１０ｌ用ゴミ袋が各自治体によってその各部の寸法が僅かに異なる可能性を考えて設けたものであり、１０ｌ用ゴミ袋を図６に示す中部地方のある自治体指定の１０ｌ用ゴミ袋５の形態寸法とした場合には、本考案の１０ｌ用ゴミ袋用ゴミ箱の各部の寸法は以下のようにさらに狭い範囲に限定される。すなわち、上記上部本体及び上記下部本体の寸法が、上記フランジの直下の上記正面板の横幅と上記背面版の横幅は同一で２８０ｍｍ〜２９０ｍｍの範囲内に限定され、上記正面板の下端部分の横幅と上記背面版の下端部分の横幅は同一で２７０ｍｍ〜２８０ｍｍの範囲内に限定され、上記フランジの正面側と背面側の外寸は同一で２８５ｍｍ〜２９５ｍの範囲内に限定され、上記左側面板の上記フランジの直下の横幅と上記右側面板の上記フランジの直下の横幅は同一で１７０ｍｍ〜１８０ｍｍの範囲内に限定され、上記フランジの左側面側と右側面側の外寸は同一で１７５ｍｍ〜１８５ｍｍの範囲内に限定され、上記左側面板の下端部分の横幅と上記右側面板の下端部分の横幅は同一で１６０ｍｍ〜１７０ｍｍの範囲内に限定され、上記正面板における上記フランジ直下から下端までの高さ及び上記背面板における上記フランジ直下から下端までの高さ及び上記左側面板における上記フランジ直下から下端までの高さ及び上記右側面板における上記フランジ直下から下端までの高さは全て同一で２７５ｍｍ〜２９５ｍｍの範囲内に限定され、上記フランジの上面から上記正面板の下端までの高さ及び上記フランジの上面から上記背面版の下端までの高さ及び上記フランジの上面から上記左側板の下端までの高さ及び上記フランジの上面から上記右側面版の下端までの高さは全て同一で２８０ｍｍ〜３００ｍｍの範囲内に限定され、上記左側面板の取手の下端位置と上記右側面板の取手の下端位置は同一で上記フランジの上面から８５ｍｍ〜９５ｍｍの範囲内に限定されるものである。
【考案の効果】
【００１１】
本考案の１０ｌ用ゴミ袋用ゴミ箱は、上部本体に１０ｌ用ゴミ袋を装着して用いるものであり、上記上部本体の寸法が、上記フランジの直下の上記正面板の横幅と上記背面版の横幅は同一で２５５ｍｍ〜３１５ｍｍの範囲内であり、上記正面板の下端部分の横幅と上記背面版の下端部分の横幅は同一で２４５ｍｍ〜３０５ｍｍの範囲内であり、上記フランジの正面側と背面側の外寸は同一で２６０ｍｍ〜３２０ｍｍの範囲内であり、上記左側面板の上記フランジの直下の横幅と上記右側面板の上記フランジの直下の横幅は同一で１５５ｍｍ〜１９５ｍｍの範囲内であり、上記フランジの左側面側と右側面側の外寸は同一で１６０ｍｍ〜２００ｍｍの範囲内であり、上記左側面板の下端部分の横幅と上記右側面板の下端部分の横幅は同一で１４５ｍｍ〜１８５ｍｍの範囲内であり、上記正面板における上記フランジ直下から下端までの高さ及び上記背面板における上記フランジ直下から下端までの高さ及び上記左側面板における上記フランジ直下から下端までの高さ及び上記右側面板における上記フランジ直下から下端までの高さは全て同一で２５５ｍｍ〜３１５ｍｍの範囲内であり、上記フランジの上面から上記正面板の下端までの高さ及び上記フランジの上面から上記背面板の下端までの高さ及び上記フランジの上面から上記左側面板の下端までの高さ及び上記フランジの上面から上記右側面板の下端までの高さは全て同一で２６０ｍｍ〜３２０ｍｍの範囲内であり、上記左側面板の取手の下端位置と上記右側面板の取手の下端位置は同一で上記フランジの上面から７０ｍｍ〜１１０ｍｍの範囲内であるので、１０ｌ用ゴミ袋が、口部においても高さにおいても略間隙なく装着できるものである。この際、上部本体の左側面板の取手に１０ｌ用ゴミ袋の一方の取手を、また上部本体の右側面板の取手に１０ｌ用ゴミ袋の他方の取手を係止した場合に、上部本体の左側面板の取手の及び上部本体の右側面板の取手の下端位置が同一で上記フランジの上面から７０ｍｍ〜１１０ｍｍの範囲内であるので、１０ｌ用ゴミ袋の両方の取手が弛むことなく必要以上に緊張することなく適度の緊張をもって係止され、これにより１０ｌ用ゴミ袋全体が安定的に本考案の１０ｌ用ゴミ袋用ゴミ箱の上部本体に装着されるものである。また、本考案の１０ｌ用ゴミ袋用ゴミ箱に装着された１０ｌ用ゴミ袋には、１０ｌ用ゴミ袋の容量一杯の略１０ｌのゴミを収納できるものである。すなわち、１０ｌ用ゴミ袋が装着される上部本体の容量は、１０ｌ以上になるが、実際にはゴミは空隙をもって収納されるものであるから、現実の収容量は略１０ｌ程度となるものである。
【００１２】
本考案の１０ｌ用ゴミ袋用ゴミ箱は、上部本体の下部が連結枠体の上部に嵌脱自在に嵌合され、下部本体の上部が上記連結枠体の下部に嵌脱自在に嵌合され、上記下部本体の下部にキャスターを有しており、各部の寸法が上記のとおりであるので、全体の高さは５７０ｍｍ〜６９０ｍｍ程度となる（この場合、キャスター部分の高さは４５ｍｍ程度で、上記連結枠体による高さ増分が５ｍｍ程度である）。これにより、本考案の１０ｌ用ゴミ袋用ゴミ箱は、洋室における机の高さ７０ｃｍ内外より僅かに低い位置に開口部が位置することとなり、例えば机の上の細かいゴミを手箒で掃き落とそうとする場合にても、掃き落とそうとする部分にキャスターで本考案の１０ｌ用ゴミ袋用ゴミ箱の開口部を位置させるだけで良いので、極めて便利である。また、本考案の１０ｌ用ゴミ袋用ゴミ箱は、システムキッチンの標準的な高さである９０ｃｍ内外より２０ｃｍ〜３０ｃｍ程度低いだけなので、調理中にゴミを捨てる場合にても一々屈む必要がなく、極めて使い易いものである。
【００１３】
本考案の１０ｌ用ゴミ袋用ゴミ箱は、上部本体に連結枠体を介して該上部本体と同一寸法の下部本体が嵌脱自在に連設されているので、下部本体内に予備の１０ｌ用ゴミ袋等を格納しておくことができる。
【００１４】
本考案の１０ｌ用ゴミ袋用ゴミ箱は、上部本体の開口部の寸法が、新聞紙を４つ折りにしたものをさらに３つ折りにした寸法に略等しく構成されているので、上部本体に装着した１０ｌ用ゴミ袋が略満杯になった時点で、新聞紙を４つ折りにしたものをさらに３つ折りにして上部本体の開口部に載置することにより、１０ｌ用ゴミ袋の結束が非常に楽になり、結束後、本考案の１０ｌ用ゴミ袋用ゴミ箱から１０ｌ用ゴミ袋を脱嵌しても１０ｌ用ゴミ袋の形態が崩れず、安定した状態で集積所まで運搬できるものである。
【００１５】
本考案の１０ｌ用ゴミ袋用ゴミ箱は、同形同寸の上部本体と下部本体を連結枠体を介して嵌脱自在としており、また各部の寸法が上記のとおりに構成されているものであるから、本考案の１０ｌ用ゴミ袋用ゴミ箱を和室にて用いる場合には、上部本体と下部本体を分離して夫々別個の１０ｌ用ゴミ袋用ゴミ箱として用いることにより、和室における生活形態に良好に適合する１０ｌ用ゴミ袋用ゴミ箱として用いることができる。
【考案を実施するための最良の形態】
【００１６】
本考案を実施するための最良の形態を、以下に、図面を参照しながら詳細に説明する。
【実施例１】
【００１７】
＜実施例１の構成＞
図１には、本考案の実施例１の１０ｌ用ゴミ袋用ゴミ箱Ａの外観斜視図を示す。また、図２ａ〜図２ｃには上部本体１と連結枠体３と下部本体２の外観斜視図を示す。さらに、図３ａは上部本体１の平面図、図３ｂは上部本体１の正面図、図３ｃは上部本体１の右側面図、図４ａは連結枠体３の平面図、図４ｂは連結枠体３の正面図、図４ｃは連結枠体３の底面図、図４ｄは連結枠体３の右側面図である。そして図５には、下部本体２が連結枠体３を介して上部本体１に嵌脱自在に連設されている状態を拡大断面図にて説明している。
【００１８】
図１に見るように、本考案の実施例１の１０ｌ用ゴミ袋用ゴミ箱Ａは、下部本体２が連結枠体３を介して上部本体１に嵌脱自在に連設されてなっている。上部本体１と下部本体２は同形同寸であり、下部本体２には底部にキャスター４，４，４，４が装着されている。上部本体１、下部本体２、連結枠体３は実施例１にてはすべて合成樹脂製であるが、当然木製あるいは金属製とすることも可能である。
【００１９】
上部本体１は、図１、図２ａ、図３ａ〜図３ｃに示すように、全体が下方に向かって小となるわずかなテーパーが付された略直方体状の箱状で、上面がフランジ１６を有する開口部１７となり、逆台形状の正面板１１、逆台形状の背面板１２、逆台形状の左側面板１３、逆台形状の右側面板１４、長方形状の底面板１５が一体として構成されていて、左側面板１３に短手方向から見た断面が略直角３角形状の取手１８ａを有し、右側面板１４に短手方向から見た断面が略直角３角形状の取手１８ｂを有しており、底面１５の下面四隅には略長方形板状の脚１９ａ、１９ｂ、１９ｃ、１９ｄが底面１５と一体に固着されている。
【００２０】
上部本体１の各部の寸法は以下のとおりである（図３ａ〜図３ｃ参照）。すなわち、フランジ１６の直下の正面板１１の外寸αと背面版１２の外寸αは同一で２８５ｍｍであり、開口部１７の正面側及び背面側の内寸α´は２８０ｍｍである。また、フランジ１６の正面側及び背面側の外寸γは２９０ｍｍである。また、正面板１１の下端部分の外寸ζと背面板１２の下端部分の外寸ζは同一で２７５ｍｍであり、正面板１１の下端部分の内寸ζ´と背面版１２の下端部分の内寸ζ´は同一で２６５ｍｍであり、この寸法即ち内寸ζ´は脚１９ａの左端から脚１９ｂの右端までの距離及び脚１９ｃの左端から脚１９ｄの右端までの距離とも同一である。左側面板１３のフランジ１６の直下の外寸βと右側面板１４のフランジ１６の直下の外寸βは同一で１７５ｍｍであり、開口部１７の左側面側及び右側面側の内寸β´は１７０ｍｍである。また、フランジ１６の左側面側及び右側面側の外寸δは１８０ｍｍである。左側面板１３の下端部分の外寸ηと右側面板１４の下端部分の外寸ηは同一で１６５ｍｍであり、左側面版１３の下端部分の内寸η´と右側面版１４の下端部分の内寸η´は同一で１６０ｍｍであり、この寸法即ち内寸η´は脚１９ａの正面端から脚１９ｃの背面端までの距離及び脚１９ｂの正面端から脚１９ｄの背面端までの距離とも同一である。正面板１１におけるフランジ１６直下から下端までの高さε´及び背面板１２におけるフランジ１６直下から下端までの高さε´及び左側面板１３におけるフランジ１６直下から下端までの高さε´及び右側面板１４におけるフランジ１６直下から下端までの高さε´は全て同一で２８５ｍｍであり、フランジ１６の上面から正面板１１の下端までの高さε及びフランジ１６の上面から背面板１２の下端までの高さε及びフランジ１６の上面から左側面板１３の下端までの高さε及びフランジ１６の上面から右側面板１４の下端までの高さεは全て同一で２９０ｍｍであり、フランジ１６上面から左側面板１３の取手１８ａの下端位置までの高さθとフランジ１６上面から右側面板１４の取手１８ｂの下端位置までの高さθは同一でフランジ１６上面から９０ｍｍである。
【００２１】
下部本体２は、図１、図２ｃに示すように、全体が下方に向かって小となるわずかなテーパーが付された略直方体状の箱状で、上面がフランジ２６を有する開口部２７となり、逆台形状の正面板２１、逆台形状の背面板２２、逆台形状の左側面板２３、逆台形状の右側面板２４、長方形状の底面板２５が一体として構成されていて、左側面板２３に短手方向から見た断面が略直角３角形状の取手２８ａを有し、右側面板２４に短手方向から見た断面が略直角３角形状の取手２８ｂを有しており、底面２５の下面四隅には略長方形板状の脚２９ａ、２９ｂ、２９ｃ、２９ｄが底面２５と一体に固着され、脚２９ａ、２９ｂ、２９ｃ、２９ｄに夫々キャスター４が装着されている。下部本体２は、脚２９ａ、２９ｂ、２９ｃ、２９ｄに夫々キャスター４が装着されている点を除けば、上部本体１と全く同形同寸の構成となっている。
【００２２】
連結枠体３は、図２ｂ、図４ａ〜図４ｄに見るように、平板状の枠体３１の上面に平面形状が長方形の枠状のフランジ３２が突設固着され、枠体３１の下面に平面形状が長方形の枠状のフランジ３３が突設固着されており、枠体３１、フランジ３２、フランジ３３は全て一体として形成されている。各部の寸法は、枠体３１の正面側及び背面側の外寸κは図３ａに於ける上部本体１のフランジ１６の正面側及び背面側の外寸γと同一で２９０ｍｍであり、枠体３１の左側面側及び右側面側の外寸λは図３ａに於ける上部本体１のフランジ１６の左側面側及び右側面側の外寸δと同一で１８０ｍｍであり、フランジ３２の正面側及び背面側の外寸μは図３ｂに於ける上部本体１の正面板１１の下端部分の外寸ζ及び背面版１２の下端部分の外寸ζと同一で２７５ｍｍであり、フランジ３２の正面側及び背面側の内寸μ´は図３ｂに於ける上部本体１の正面板１１の下端部分の内寸ζ´及び背面版１２の下端部分の内寸ζ´と同一で２６５ｍｍであり、フランジ３２の左側面側及び右側面側の外寸νは図３ｃに於ける上部本体１の左側面板１３の下端部分の外寸η及び右側面版１４の下端部分の外寸ηと同一で１６５ｍｍであり、フランジ３２の左側面側及び右側面側の内寸ν´は図３ｃに於ける上部本体１の左側面板１３の下端部分の内寸η´及び右側面版１４の下端部分の内寸η´と同一で１６０ｍｍであり、フランジ３３の正面側及び背面側の外寸πは図３ａに於ける上部本体１の開口部１７の正面側及び背面側の内寸α´と同一で２８０ｍｍであり、フランジ３３の正面側及び背面側の内寸π´は２７５ｍｍであり、フランジ３３の左側面側及び右側面側の外寸ρは図３ａに於ける上部本体１の開口部１７の左側面側及び右側面側の内寸β´と同一で１７０ｍｍであり、フランジ３３の左側面側及び右側面側の内寸ρ´は１６５ｍｍである。
【００２３】
＜実施例１の作用＞
実施例１の１０ｌ用ゴミ袋用ゴミ箱Ａは、図１に見るように、連結枠体３を介して上部本体１と下部本体２を連設し、上部本体１に１０ｌ用ゴミ袋５を略間隙なく装着し、１０ｌ用ゴミ袋５の取手５３ａを上部本体の取手１８ａに、１０ｌ用ゴミ袋５の取手５３ｂを上部本体の取手１８ｂに、夫々係止して用いられるものである。この際、連結枠体３のフランジ３２の正面側及び背面側の内寸μ´（図４ａ参照）が図３ｂに於ける上部本体１の正面板１１の下端部分の内寸ζ´及び背面版１２の下端部分の内寸ζ´と同一で２６５ｍｍであり、この寸法は上述のように脚１９ａの左端から脚１９ｂの右端までの距離及び脚１９ｃの左端から脚１９ｄの右端までの距離とも同一であるので、脚１９ａの左端から脚１９ｂの右端及び脚１９ｃの左端から脚１９ｄの右端までがフランジ３２の正面側の内寸μ´に正確に嵌合する。また、フランジ３２の左側面側及び右側面側の内寸ν´（図４ａ参照）が図３ｃに於ける上部本体１の左側面板１３の下端部分の内寸η´及び右側面板１４の下端部分の内寸η´と同一で１６０ｍｍであり、この寸法は上述のように脚１９ａの正面端から脚１９ｃの背面端までの距離及び脚１９ｂの正面端から脚１９ｄの背面端までの距離とも同一であるので、脚１９ａの正面端から脚１９ｃの背面端まで及び脚１９ｂの正面端から脚１９ｄの背面端までがフランジ３２の左側面側及び右側面側の内寸ν´に正確に嵌合する。これにより、フランジ３２の内側に、上部本体１の脚１９ａ、１９ｂ、１９ｃ、１９ｄが正確に嵌合することとなる。これにより、上部本体１はその下端において連結枠体３の上部に正確に嵌合され、嵌合状態は安定的に保持される。
【００２４】
また、連結枠体３のフランジ３３の正面側及び背面側の外寸π（図３ｂ参照）が図３ａに於ける上部本体１の開口部１７の正面側及び背面側の内寸α´と同一で２８０ｍｍであり、この寸法は上述のように下部本体２の開口部２７の正面側及び背面側の内寸とも同一であるので、フランジ３３の正面側及び背面側は下部本体２の開口部２７の正面側及び背面側に正確に嵌合する。また、フランジ３３の左側面側及び右側面側の外寸ρ（図４ｄ参照）が図３ａに於ける上部本体１の開口部１７の左側面側及び右側面側の内寸β´と同一で１７０ｍｍであり、この寸法は上述のように下部本体２の開口部２７の左側面側及び右側面側の内寸とも同一であるので、フランジ３３の左側面側及び右側面側は下部本体２の開口部２７の左側面側及び右側面側に正確に嵌合する。これにより、連結枠体３はその下部において下部本体２の開口部２７に正確に嵌合されることとなり、これにより、下部本体２はその上端において連結枠体３の下部に正確に嵌合され、嵌合状態は安定的に保持される。
【００２５】
上記嵌合状態を、拡大して示したのが図５である。図５は上部本体１の脚１９ａの部分の嵌合状態を示しているが、脚１９ｂ、１９ｃ、１９ｄにおいても状態は略同一である。上部本体１の脚１９ａは連結枠体３のフランジ３２の内側に正確に嵌合され、下部本体２のフランジ２６は連結枠体３のフランジ３３の外側に正確に嵌合する。枠体３１の外周とフランジ２６はピタリと重なり、また枠体３１の内周には上部本体１の脚１９ａが載置され、該構成が上部本体１の重量を支えるので、上部本体１は連結枠体３を介して正確に且安定的に下部本体２に嵌合されるものである。
【図面の簡単な説明】
【００２６】
【図１】本考案の実施例１の１０ｌ用ゴミ袋用ゴミ箱の外観斜視図である。
【図２】（ａ）本考案の実施例１の１０ｌ用ゴミ袋用ゴミ箱の上部本体の外観斜視図である。（ｂ）本考案の実施例１の１０ｌ用ゴミ袋用ゴミ箱の連結枠体の外観斜視図である。（ｃ）本考案の実施例１の１０ｌ用ゴミ袋用ゴミ箱の下部本体の外観斜視図である。
【図３】（ａ）本考案の実施例１の１０ｌ用ゴミ袋用ゴミ箱の上部本体の平面図である。（ｂ）本考案の実施例１の１０ｌ用ゴミ袋用ゴミ箱の上部本体の正面図である。（ｃ）本考案の実施例１の１０ｌ用ゴミ袋用ゴミ箱の上部本体の右側面図である。
【図４】（ａ）本考案の実施例１の１０ｌ用ゴミ袋用ゴミ箱の連結枠体の平面図である。（ｂ）本考案の実施例１の１０ｌ用ゴミ袋用ゴミ箱の連結枠体の正面図である。（ｃ）本考案の実施例１の１０ｌ用ゴミ袋用ゴミ箱の連結枠体の底面図である。（ｄ）本考案の実施例１の１０ｌ用ゴミ袋用ゴミ箱の連結枠体の右側面図である。
【図５】本考案の実施例１の１０ｌ用ゴミ袋用ゴミ箱の上部本体と連結枠体と下部本体の嵌合部分の一部の拡大断面図である。
【図６】自治体指定の１０ｌ用ゴミ袋の１例の外観斜視図である。
【符号の説明】
【００２７】
１      上部本体
１１    正面板
１２    背面板
１３    左側面板
１４    右側面板
１５    底面板
１６    フランジ
１７    開口部
１８ａ  取手
１８ｂ  取手
１９ａ  脚
１９ｂ  脚
１９ｃ  脚
１９ｄ  脚
２      下部本体
２１    正面板
２２    背面板
２３    左側面板
２４    右側面板
２５    底面板
２６    フランジ
２７    開口部
２８ａ  取手
２８ｂ  取手
２９ａ  脚
２９ｂ  脚
２９ｃ  脚
２９ｄ  脚
３      連結枠体
３１    枠体
３２    フランジ
３３    フランジ
４      キャスター
５      １０ｌ用ゴミ袋
５１    袋体
５２ａ  マチ
５２ｂ  マチ
５３ａ  取手
５３ｂ  取手
５４ａ  結束片
５４ｂ  結束片
Ａ      １０ｌ用ゴミ袋用ゴミ箱
ｘ      幅
ｘ１    幅
ｙ      高さ
ｙ１    高さ
α      外寸
α´    内寸
β      外寸
β´    内寸
γ      外寸
δ      外寸
ε      高さ
ε´    高さ
ζ      外寸
ζ´    内寸
η      外寸
η´    内寸
θ      高さ
κ      外寸
λ      外寸
μ      外寸
μ´    内寸
ν      外寸
ν´    内寸
π      外寸
π´    内寸
ρ      外寸
ρ´    内寸
【図１】
0003105524.tif 000003
【図２】
0003105524.tif 000004
【図３】
0003105524.tif 000005
【図４】
0003105524.tif 000006
【図５】
0003105524.tif 000007
【図６】
0003105524.tif 000008